(57)【要約】【課題】  待機状態における消費電力を低減し、かつ、十分に実用性を具備した受光部システムを提供することを目的とする。【解決手段】  第１赤外光信号を受光して電力を発電する光発電部１００と、光発電部１００が発電した電力の供給を受けることにより動作状態となり、第１赤外光信号を受信した場合、第１赤外光信号を第１電気信号に変換するサブ受光部ユニット５０と、外部から入力された電力が供給される線路に位置し、サブ受光部ユニット５０からの第１電気信号に基づいて、導通又は非導通状態を選択することが可能な電源部リレー６３と、電源部リレー６３が導通状態となることで、外部から供給される電力の供給を受け、動作状態となり、第１赤外光信号を受信した場合、第１赤外光信号を第１電気信号に変換し、第２赤外光信号を受信した場合、第２赤外光信号を第２電気信号に変換する主受光部ユニット４０とを備える受光部システム。【選択図】  図１
2010283778.tif 000002
【特許請求の範囲】
【請求項１】
第１赤外光信号を受光して電力を発電する光発電部と、
前記光発電部が発電した前記電力の供給を受けることにより動作状態となり、前記第１赤外光信号を受信した場合、前記第１赤外光信号を第１電気信号に変換する第１受信部と
外部から入力された電力が供給される線路に位置し、前記第１受光部からの前記第１電気信号に基づいて、導通又は非導通状態を選択することが可能な電源部リレーと
前記電源部リレーが導通状態となることで、外部から供給される電力の供給を受け、動作状態となり、第１赤外光信号を受信した場合、前記第１赤外光信号を第１電気信号に変換し、第２赤外光信号を受信した場合、前記第２赤外光信号を第２電気信号に変換する第２受光部と、
を備えることを特徴とする受光部システム。
【請求項２】
前記第２受光部に電気的に接続され、前記第２受光部から第１電気信号が入力した場合、前記電源部リレーの導通状態及び非導通状態が、前記第１受光部からの前記第１電気信号により制御されないように制御する制御回路部をさらに備えることを特徴とする請求項１記載の受光部システム。
【請求項３】
第１赤外光信号を受光して電力を発電する光発電部と、
前記光発電部が発電した前記電力の供給を受けることにより動作状態となり、前記第１赤外光信号を受信した場合、前記第１赤外光信号を第１電気信号に変換し、第２赤外光信号を受信した場合、前記第２赤外光信号を第２電気信号に変換する第１受光部と、
外部から入力された電力が供給される線路に位置し、前記第１受光部からの前記第１電気信号に基づいて、導通または非導通状態を選択することが可能であり、前記導通状態となることで、外部から供給された電力を前記第１受光部に供給することを可能とする電源部リレーと、
を備えることを特徴とする受光部システム。
【請求項４】
前記第１赤外光信号が、前記第２赤外光信号より光エネルギーが高強度であることを特徴とする請求項１乃至３いずれか１項に記載の受光部システム。
【請求項５】
赤外光信号を受光することにより電力を発電する発電部に接続され、前記発電部が発電した電力の供給を受けて動作状態となり、赤外光信号を受信した場合、前記赤外光信号を電気信号に変換する受光部と、
前記受光部に接続され、前記受光部からの電気信号に基づき、外部から供給される電力を前記受光部に供給させる制御部と、
を備えることを特徴とする受光部システム。
【発明の詳細な説明】
【技術分野】
【０００１】
本発明は、受光部システムに係り、特に電子機器のオフ状態における消費電力を低減できる受光部システムに関する。
【背景技術】
【０００２】
テレビ、エアコン、パソコンなどの電子機器の制御には赤外光リモートコントローラ（赤外光リモコン）が用いられている。このような電子機器には、赤外光リモコンからの赤外光信号を受信するための受光部が搭載される。
【０００３】
電子機器に搭載される受光部は、電子機器がオフ状態であっても、電子機器をオン状態とするための赤外光信号（オン信号）を受信することができるように、電力の供給を受けて赤外光信号を受信できる状態を維持しなければならない。このため、電子機器がオフ状態であっても受光部が多少なりとも電力を消費してしまう。
【０００４】
この問題に対処する技術として、電子機器がオフ状態のときは、受光部への電力の供給を停止し、電子機器をオン状態とするときには、赤外光リモコンからオン信号と電波を送信することで、電波により電子機器の電源リレーを駆動し、受光部がオン信号を受信できる状態とする技術が開示されている（例えば、特許文献１参照。）。この技術によれば、電子機器がオフ状態のとき受光部は電力の供給を受けないため、電子機器のオフ状態における受光部の電力の消費を抑制できる。
【０００５】
しかし、電波により電子機器の電源リレーを駆動する場合には、リモコンと受光部に、それぞれ電波用の送信部と受信部を設ける必要があるため機器の小型化、低価格化という面で弊害がある。また、電波は指向性の制御が難しいため、電波により電子機器の周辺機器の誤動作を起こす可能性がある。また、電波は、使用可能周波数域が電波法により定められているため、使用周波数域を選ぶ際に問題となる可能性がある。これらの理由により、従来の技術は十分に実用性を具備していない可能性があった。
【先行技術文献】
【特許文献】
【０００６】
【特許文献１】特開２００５−２９５２８９号公報。
【発明の概要】
【発明が解決しようとする課題】
【０００７】
本発明は、待機状態における消費電力を低減し、かつ、十分に実用性を具備した受光部システムを提供することを目的とする。
【課題を解決するための手段】
【０００８】
本発明の第１態様の受光部システムは、第１赤外光信号を受光して電力を発電する光発電部と、前記光発電部が発電した前記電力の供給を受けることにより動作状態となり、前記第１赤外光信号を受信した場合、前記第１赤外光信号を第１電気信号に変換する第１受信部と外部から入力された電力が供給される線路に位置し、前記第１受光部からの前記第１電気信号に基づいて、導通又は非導通状態を選択することが可能な電源部リレーと前記電源部リレーが導通状態となることで、外部から供給される電力の供給を受け、動作状態となり、第１赤外光信号を受信した場合、前記第１赤外光信号を第１電気信号に変換し、第２赤外光信号を受信した場合、前記第２赤外光信号を第２電気信号に変換する第２受光部と、を備えることを特徴とする。
【０００９】
本発明の第２態様の受光部システムは、第１赤外光信号を受光して電力を発電する光発電部と、前記光発電部が発電した前記電力の供給を受けることにより動作状態となり、前記第１赤外光信号を受信した場合、前記第１赤外光信号を第１電気信号に変換し、第２赤外光信号を受信した場合、前記第２赤外光信号を第２電気信号に変換する第１受光部と、外部から入力された電力が供給される線路に位置し、前記第１受光部からの前記第１電気信号に基づいて、導通または非導通状態を選択することが可能であり、前記導通状態となることで、外部から供給された電力を前記第１受光部に供給することを可能とする電源部リレーと、を備えることを特徴とする。
【００１０】
本発明の第３態様の受光部システムは、赤外光信号を受光することにより電力を発電する発電部に接続され、前記発電部が発電した電力の供給を受けて動作状態となり、赤外光信号を受信した場合、前記赤外光信号を電気信号に変換する受光部と、前記受光部に接続され、前記受光部からの電気信号に基づき、外部から供給される電力を前記受光部に供給させる制御部と、を備えることを特徴とする。
【発明の効果】
【００１１】
本発明によれば、待機状態における消費電力を低減し、かつ、十分に実用性を具備した受光部システムを提供することができる。
【図面の簡単な説明】
【００１２】
【図１】本発明の実施例１に係る受光部システムと、電子機器と、制御器の構成を示すブロック図である。
【図２】本発明の実施例１に係る受光部システムのオン操作のフローチャートである。
【図３】本発明の実施例１に係る受光部システムのオフ操作のフローチャートである。
【図４】本発明の実施例２に係る受光部システムと、電子機器と、制御器の構成を示すブロック図である。
【図５】本発明の実施例２に係る受光部システムのオン操作のフローチャートである。
【図６】本発明の実施例２に係る受光部システムのオフ操作のフローチャートである。
【発明を実施するための形態】
【００１３】
以下、本発明の実施例について図面を参照しながら説明する。
【実施例１】
【００１４】
図１は、本発明の実施例１に係る受光部システム２０と、電子機器１０と、制御器３０の構成を示すブロック図である。受光部システム２０は、電子機器１０に搭載され、外部の制御器３０からの赤外光信号を受信し、受信した赤外光信号を電気信号に変換し電子機器１０（機能回路部９０）に出力する。これにより、外部の制御器３０が電子機器１０を制御することを可能とする。機能回路部９０は、電子機器１０の主動作回路部に相当する。
【００１５】
電子機器１０は、オン状態とオフ状態を有する。電子機器１０は、オン状態では、ＡＣ／ＤＣ電源回路部６０を介して機能回路部９０が外部電源６１から電力の供給を受けることにより動作する。電子機器１０は、オフ状態では、機能回路部９０が電力の供給を受けず動作しない。電子機器１０のオン状態、オフ状態は、メインスイッチ６２と、制御器３０により制御される。メインスイッチ６２は、例えば、電子機器１０本体に取り付けられた電源スイッチである。メインスイッチ６２が電子機器１０をオフ状態としている場合は、制御器３０により電子機器１０のオン状態、オフ状態を制御することができない。
【００１６】
制御器３０は、ユーザの操作に応じて、第１赤外光信号と第２赤外光信号（以下、両者を併せて「赤外光信号」と称する。）を送信する。第１赤外光信号は、電子機器のオン状態とオフ状態を切り替えるための信号である。第２赤外光信号は、電子機器の動作（オン状態／オフ状態を切り替える以外の動作）を制御するための信号である。第１赤外光信号と第２赤外光信号は、赤外光である。後述する理由により、第１赤外光信号が第２赤外光信号より光エネルギーが高強度に設定されている。
【００１７】
受光部システム２０は、主受光部ユニット４０と、サブ受光部ユニット５０と、電源部リレー６３、制御回路部７０と、サブ制御回路部８０、光発電部１００とを備える。
【００１８】
主受光部ユニット４０は、受光素子４１、増幅器４２、バンドパスフィルタ４３、検波器４４、波形整形器４５を備える。主受光部ユニット４０は、ＡＣ／ＤＣ電源回路部６０を介して外部の電源からの電力の供給を受けて動作状態となる。主受光部ユニット４０は、動作状態では、赤外光信号を受信すると、赤外光信号を電気信号に変換し、制御回路部７０に出力する。具体的には、受光素子４１が赤外光信号を受信し、受信した赤外光信号を電気信号に変換し、この電気信号を、増幅器４２、バンドパスフィルタ４３、検波器４４、波形整形器４５が処理した後に、制御回路部７０へ出力する。
【００１９】
サブ受光部ユニット５０は、受光素子５１、増幅器５２、バンドパスフィルタ５３、検波器５４、波形整形器５５を備える。サブ受光部ユニット５０は、後述する、光発電部１００が発電する電力の供給を受けて動作状態となる。サブ受光部ユニット５０は、動作状態では、第１赤外光信号を受信すると、第１赤外光信号を第１電気信号に変換し、サブ制御回路部８０に出力する。具体的には、受光素子５１が赤外光信号を受信し、受信した赤外光信号を電気信号に変換し、この電気信号を、増幅器５２、バンドパスフィルタ５３、検波器５４、波形整形器５５が処理した後に、サブ制御回路部８０に出力する。
【００２０】
サブ制御回路部８０は、光発電部１００が発電する電力の供給を受けて動作状態となる。サブ制御回路部８０は、サブ受光部ユニット５０から入力する第１電気信号に基づき、後述する電源部リレー６３にオン電流又はオフ電流を出力し、電源部リレー６３の導通状態、非導通状態を切り替える。サブ制御回路部８０は、後述する制御回路部７０とフォトカプラ１１０を介して接続されている。
【００２１】
フォトカプラ１１０は、信号伝達の方向性を有し、制御回路部７０からサブ制御回路部８０に対して信号を伝達する。フォトカプラ１１０により、制御回路部７０とサブ制御回路部８０を接続することにより、制御回路部７０とサブ制御回路部８０を電気的に分離することが可能となる。これにより、サブ受光部ユニット５０からサブ制御回路部８０を介して、制御回路部７０に意図しない信号（ノイズ等）が流入するのを抑制することができる。
【００２２】
光発電部１００は、光発電素子により構成され、制御器３０からの第１赤外光信号を受光すると、第１赤外光信号の光エネルギーにより電力を発生させる。この電力を、サブ受光部ユニット５０、及びサブ制御回路部８０に供給することにより、サブ受光部ユニット５０及びサブ制御回路部８０を動作状態にする。光発電部１００を構成する光発電素子は、制御部３０からの赤外光により発電する素子とする。
【００２３】
ＡＣ／ＤＣ電源回路部６０は、外部電源６１から入力する交流電圧を直流電圧に変換し、機能回路部９０、制御回路部７０に直流電圧を供給する。ＡＣ／ＤＣ電源回路部６０と外部電源６１の間の線路上には、電源部リレー６３が設けられている。
【００２４】
電源部リレー６３は、導通状態と非導通状態を有する。電源部リレー６３は、導通状態では、外部電源６１からの交流電圧をＡＣ／ＤＣ電源回路部６０に導通させ、非導通状態では、外部電源６１からの交流電圧をＡＣ／ＤＣ電源回路部６０に導通させない。電源部リレー６３の状態（導通状態及び非導通状態）は、サブ制御回路部８０からのオン電流及びオフ電流と、メインスイッチ６２により制御される。メインスイッチ６２がオン状態である場合、電源部リレー６３は、サブ制御回路部８０からのオン電流が入力することにより導通状態となり、オフ電流が入力することにより非導通状態となる。また、メインスイッチ６２がオフ状態である場合には、サブ制御回路部８０からのオン電流、オフ電流によらず、電源部リレー６３は非導通状態となる。
【００２５】
制御回路部７０は、ＡＣ／ＤＣ電源回路部６０から電力の供給を受けて動作状態となり、主受光部ユニット４０の動作状態を制御する。制御回路部７０は、フォトカプラ１１０を介してサブ制御回路部８０に接続される。後述するオフ操作の際に、サブ制御回路部８０がサブ受光部ユニット５０からの第１電気信号を無視するように、制御回路部７０はサブ制御回路部８０を制御する。また、オフ操作の際に、制御回路部７０はサブ制御回路部８０に電源部リレーを非導通状態とするように制御する。
【００２６】
次に、ユーザが制御器３０を操作することにより、制御器３０から第１赤外光信号を送信し、電子機器１０をオフ状態からオン状態に切り替える（以下、「オン操作」と称する。）際の、受光部システム２０の動作について、図２を参照して説明する。図２は、本発明の実施例１に係る受光部システム２０のオン操作のフローチャートである。電子機器１０は、以下の動作によりオフ状態からオン状態に切り替えられる。
【００２７】
まず、ユーザが制御器３０を操作することにより、制御器３０から第１赤外光信号が送信されると、光発電部１００が第１赤外光信号を受光する（Ｓ２０１）。次に、光発電部１００は、第１赤外光信号を受光すると、第１赤外光信号の光エネルギーにより電力を発電する（Ｓ２０２）。次に、サブ受光部ユニット５０及びサブ制御回路部８０がこの電力の供給を受けることにより、動作状態となる（Ｓ２０３）。次に、動作状態となったサブ受光部ユニット５０が、第１赤外光信号を受信すると、第１赤外光信号を第１電気信号に変換し（Ｓ２０４）、サブ制御回路部８０に出力する（Ｓ２０５）。次に、サブ制御回路部８０は、第１電気信号に基づき、電源部リレー６３にオン電流を出力する（Ｓ２０６）。次に、電源部リレー６３が、サブ制御回路部８０からのオン電流により、導通状態に切り替えられ、外部電源６１からの交流電圧をＡＣ／ＤＣ電源回路部６０に導通させる（Ｓ２０７）。次に、ＡＣ／ＤＣ電源回路部６０が外部電源６１からの交流電圧を直流電圧に変換し、機能回路部９０、制御回路部７０に直流電圧を供給する。これにより、機能回路部９０及び制御回路部７０に電力が供給され、動作状態となる（Ｓ２０８）。次に、制御回路部７０が電子機器１０をオン状態とするための電子機器１０のシステムチェックを行い（Ｓ２０９）、次いで、主受光部ユニット４０に直流電圧を供給することにより、主受光部ユニット４０を動作状態とする（Ｓ２１０）。これにより、主受光部ユニット４０が制御器３０からの赤外光信号を受信できる状態となる。以上の動作により、電子機器１０がオフ状態からオン状態に切り替えられ、電子機器１０が制御器３０からの制御を受けることが可能な状態となる。このとき、電子機器１０がオン状態となった後に、主受光部ユニット４０が第１赤外光信号を受信することにより、電子機器１０をオン状態からオフ状態に切り替えられる（後述する、オフ操作）ことを回避するため、主受光部ユニット４０が制御器３０からの赤外光信号を受信できる状態となった後、一定時間の間、制御回路部７０は主受光部ユニット４０からの電気信号（第１電気信号及び第２電気信号）を無視する（Ｓ２１１）。
【００２８】
次に、ユーザが制御器３０を操作することにより、制御器３０から第１赤外光信号を送信し、電子機器１０をオン状態からオフ状態に切り替える（以下、「オフ操作」と称する。）際の、受光部システム２０の動作について、図３を参照して説明する。図３は、本発明の実施例１に係る受光部システム２０のオフ操作のフローチャートである。電子機器１０は、以下の動作によりオフ状態からオン状態に切り替えられる。
【００２９】
ユーザが制御器３０を操作することにより、制御器３０から第１赤外光信号が送信されると、第１赤外光信号を受信した主受光部ユニット４０、光発電部１００は、それぞれ以下のように動作する。
【００３０】
光発電部１００及びサブ受光部ユニット５０は、以下に説明するように、オフ操作に関わらないようにする必要がある。このため、以下に示すように、サブ受光部ユニット５０の動作は制御する。
【００３１】
まず、光発電部１００は、第１赤外光信号を受光すると（Ｓ３１１）、第１赤外光信号の光エネルギーにより電力を発電する（Ｓ３１２）。次に、サブ受光部ユニット５０及びサブ制御回路部８０がこの電力の供給を受けることにより、動作状態になる（Ｓ３１３）。次に、サブ受光部ユニット５０は、動作状態となることで、第１赤外光信号を受信すると、第１赤外光信号を第１電気信号に変換し、サブ制御回路部８０に出力する（Ｓ３１４）。このとき、サブ制御回路部８０が第１電気信号を受信することで、電源部リレー６３にオン電流を出力すると、オフ操作において、サブ制御回路部８０はオン操作の動作を行うことになり、オフ操作とオン操作が競合してしまう。この競合を回避するために、後述するように、サブ制御回路部８０がサブ受光部ユニット５０からの第１電気信号を無視するように、制御回路部７０がサブ制御回路部８０を制御する（Ｓ３１５）。これにより、サブ制御回路部８０は、第１赤外光信号を受信しても、電子機器１０のオフ操作に関わらなくなり、オフ操作とオン操作の競合が回避できる。
【００３２】
一方、主受光部ユニット４０は、第１赤外光信号を受信すると（Ｓ３０１）、第１赤外光信号を第１電気信号に変換し、制御回路部７０に出力する（Ｓ３０２）。次に、制御回路部７０は、前述した理由により、サブ制御回路部８０に対してサブ受光部ユニット５０からの第１電気信号を無視するように制御する（Ｓ３０３）。これと同時に、制御回路部７０は、電子機器１０をオフ状態にするためのシステムチェックを行う（Ｓ３０４）。次に、制御回路部７０は、サブ制御回路部８０に対して、電源部リレー６３にオフ電流を出力させることにより、電源部リレー６３を非導通状態とするように制御する。これにより、サブ制御回路部８０が電源部リレー６３にオフ電流を出力し（Ｓ３０５）、電源部リレー６３が非導通状態となる（Ｓ３０６）。以上の工程により、機能回路部９０、制御回路部７０への外部電源からの電力の供給が停止され、電子機器がオフ状態となる。
【００３３】
以上の動作により、電子機器１０をオン状態からオフ状態に切り替えられる。
【００３４】
以上のように、本実施例の受光部システム２０では、電子機器１０がオフ状態のとき、電源からの電力の供給を受けず、光発電部１００が第１赤外光信号を受信することで発生させる電力を用いて、電源部リレー６３を導通状態とし、主受光部ユニット４０を動作状態にしている。このため、電子機器１０がオフ状態のときの、受光部システム２０における消費電力を理想的にはゼロにすることができる。さらに、電子機器１０の動作を制御するために第２赤外光信号と、電力を供給するための第１赤外光信号をどちらも電波より指向性が優れる赤外光とすることで、光信号による周辺機器への影響を低減できる。また、従来、電波を用いていた場合には、電波法を考慮しなければならなかったが、本実施例では、赤外光（第１赤外光信号）を用いるため、電波法の制約を受けない。
【００３５】
また、本実施例の受光部システム２０では、第１赤外光信号を、第２赤外光信号より高強度に設定している。これは、第１赤外光信号は光発電部１００で発電するために用いられるため、発電出来る程度に高強度にするためである。一方、第２赤外光信号については、主受光部ユニット４０の受光素子が受信できる程度の強度で足りる。このように、第１赤外光信号と第２赤外光信号の光強度に差をつけることにより、赤外光信号を出力する制御器３０の消費電力を低減できる。
【００３６】
また、本実施例の受光部システム２０では、赤外光を受信する受光部として、主受光部ユニット４０と、サブ受光部ユニット５０の２つの受光部を設け、サブ受光部ユニット５０を、光発電部１００が発生させる電力により、オン操作を行うために動作するように構成されている。サブ受光部ユニット５０を主受光部ユニット４０とは別に、オン操作を行う動作のために用いるように構成されていることにより、サブ受光部ユニット５０は、主受光部ユニット４０とは独立に設計できるため、例えば、低消費電力に対応する設計にする等、設計の自由度を高くすることができる。
【実施例２】
【００３７】
図４は、本発明の実施例２に係る受光部システム１２０と、電子機器１０と、制御器３０の構成を示すブロック図である。実施例１に係る受光部システム２０と同様の構成については、同じ符号を付し、説明を省略する。
【００３８】
本実施例に係る受光部システム１２０は、実施例１に係る受光部システム２０と同様に、電子機器１０がオフ状態のとき、電源からの電力の供給を受けず、光発電部１００が第１赤外光信号を受光することで発生させる電力を用いて、電源部リレー６３を導通状態とし、受光部ユニット１４０を動作状態にする。これにより、電子機器１０がオフ状態のときの、受光部システム１２０における消費電力を理想的にはゼロにすることができる。
【００３９】
本実施例に係る受光部システム１２０が、実施例１に係る受光部システム２０と異なる点は、実施例１に係る受光部システム２０の主受光部ユニット４０、サブ受光部ユニット５０を、両者の機能を備える受光部ユニット１４０に置き換えた点である。これに伴い、オン操作、オフ操作に必要となる受光部電源切替リレー１６０が追加される。
【００４０】
本実施例で、実施例１の構成と異なる構成である、受光部ユニット１４０と、受光部電源切替リレー１６０について説明する。
【００４１】
受光部ユニット１４０は、受光素子１４１、増幅器１４２、バンドパスフィルタ１４３、検波器１４４、波形整形器１４５を備える。受光部ユニット１４０は、光発電部１００、外部の電源（図示せず）の少なくとも何れか一方から電力の供給を受け動作状態となり、動作状態にあるとき、第１赤外光信号を受信すると、第１赤外光信号を第１電気信号に変換し、サブ制御回路部１８０に出力し、第２赤外光信号を受信すると、第２赤外光信号を第２電気信号に変換し、サブ制御回路部１８０に出力する。サブ制御回路部１８０は、受光部ユニット１４０から第１電気信号が入力するときは、第１電気信号に基づき、電源部リレー６３にオン電流又はオフ電流を出力し、受光部ユニット１４０から第２電気信号が入力するときは、第２電気信号を制御回路部７０に出力する。
【００４２】
受光部電源切替リレー１６０は、制御回路部７０により制御されることにより、受光部ユニット１４０に供給する電力の供給源を、光発電部１００と、外部の電力源（ＡＣ／ＤＣ電源回路部６０）との間で切り替える。受光部電源切替リレー１６０が光発電部１００を選択した場合には、受光部ユニット１４０には、光発電部１００から電力が供給され、外部の電力源を選択した場合には、受光部ユニット１４０には、外部の電力源から電力が供給される。
【００４３】
次に、ユーザが制御器３０を操作することにより、制御器３０から第１赤外光信号を送信し、電子機器１０をオフ状態からオン状態に切り替える（以下、「オン操作」と称する。）際の、受光部システム１２０の動作について、図５を参照して説明する。図５は、本発明の実施例２に係る受光部システム１２０のオン操作のフローチャートである。電子機器１０は、以下の動作によりオフ状態からオン状態に切り替えられる。
【００４４】
まず、ユーザが制御器３０を操作することにより、制御器３０から第１赤外光信号が送信されると、光発電部１００が第１赤外光信号を受光する（Ｓ５０１）。次に、光発電部１００は、第１赤外光信号を受信すると、第１赤外光信号の光エネルギーにより電力を発電する（Ｓ５０２）。次に、この電力を、受光部ユニット１４０及びサブ制御回路部１８０に供給することにより、受光部ユニット１４０及びサブ制御回路部１８０を動作状態にする（Ｓ５０３）。なお、オン操作の際には、予め、受光部電源切替リレー１６０が光発電部１００を選択されているように設定されている。次に、受光部ユニット１４０は、第１赤外光信号を受信すると、第１赤外光信号を第１電気信号に変換し（Ｓ５０４）、サブ制御回路部１８０に出力する（Ｓ５０５）。次に、サブ制御回路部１８０は、第１電気信号に基づき、電源部リレー６３にオン電流を出力する（Ｓ５０６）。次に、電源部リレー６３は、サブ制御回路部１８０からのオン電流により、導通状態に切り替えられ、外部電源６１からの交流電圧をＡＣ／ＤＣ電源回路部６０に導通させる（Ｓ５０７）。次に、ＡＣ／ＤＣ電源回路部６０が外部電源６１からの交流電圧を直流電圧に変換し、機能回路部９０、制御回路部７０に直流電圧を供給する。これにより、機能回路部９０及び制御回路部７０に電力が供給され、動作状態となる（Ｓ５０８）。次に、制御回路部７０が電子機器１０をオン状態とするための電子機器１０のシステムチェックを行い（Ｓ５０９）、次いで、制御回路部７０は、受光部電源切替リレー１６０を制御することにより、受光部電源切替リレー１６０に外部の電力源を選択させる。これにより、受光部ユニット１４０に供給する電力の供給源を、光発電部１００から、外部の電力源に切り替える（Ｓ５１０）。
【００４５】
以上の動作により、電子機器１０をオフ状態からオン状態に切り替えられ、受光部ユニット１４０が動作状態となり、電子機器１０の動作が制御器３０からの第２赤外光信号により制御可能となる。
【００４６】
次に、ユーザが制御器３０を操作することにより、制御器３０から第１赤外光信号を送信し、電子機器１０をオン状態からオフ状態に切り替える（以下、「オフ操作」と称する。）際の、受光部システム１２０の動作について、図６を参照して説明する。図６は、本発明の実施例２に係る受光部システム１２０のオフ操作のフローチャートである。電子機器１０は、以下の動作によりオフ状態からオン状態に切り替えられる。
【００４７】
まず、ユーザが制御器３０を操作することにより、制御器３０から第１赤外光信号が送信されると、受光部ユニット１４０が第１赤外光信号を受信する（Ｓ６０１）。次に、受光部ユニット１４０は、第１赤外光信号を第１電気信号に変換し（Ｓ６０２）、サブ制御回路部１８０に出力する（Ｓ６０３）。これと同時に、制御回路部７０は、電子機器１０をオフ状態にするためのシステムチェックを行う（Ｓ６０４）次に、サブ制御回路部１８０は、受光部ユニット１４０からの第１電気信号に基づき、電源部リレー６３にオフ電流を出力することにより（Ｓ６０５）、電源部リレー６３を非導通状態とするように制御する（Ｓ６０６）。以上の工程により、機能回路部９０、制御回路部７０への外部電源からの電力の供給が停止され、電子機器がオフ状態となる。
【００４８】
以上のように、本実施例の受光部システム１２０によれば、実施例１に係る受光部システム２０と同様の効果に加え、実施例１に係る受光部システム２０の主受光部ユニット４０、サブ受光部ユニット５０を、両者の機能を備える受光部ユニット１４０に置き換えることにより、低コスト、省スペース性が図れる。
【００４９】
なお、前述した各実施形態は、本発明の理解を容易にするためのものであり、本発明を限定して解釈するためのものではない。本発明は、その趣旨を逸脱することなく、変更／改良されうると共に、本発明にはその等価物も含まれる。例えば、本発明の各実施形態では、電子機器と受光部システムへの電力の供給源として、外部電力６１を用いたが、これには限定されず、電子機器内部に備えられた電池などを電力の供給源としてもよい。
【符号の説明】
【００５０】
１０  電子機器
２０、１２０  受光部システム
３０  制御器
４０  主受光部ユニット
５０  サブ受光部ユニット
４１、５１、１４１  受光素子
４２、５２、１４２  増幅器
４３、５３、１４３  バンドパスフィルタ
４４、５４、１４４  検波器
４５、５５、１４５  波形整形器
６０  ＡＣ／ＤＣ電源回路部
６１  コンセント
６２  メインスイッチ
６３  電源部リレー
７０  制御回路部
８０  サブ制御回路部
９０  機能回路部
１００  光発電部
１１０  フォトカプラ
１４０  受光部ユニット
１６０  受光部電源切替リレー
【図１】
2010283778.tif 000003
【図２】
2010283778.tif 000004
【図３】
2010283778.tif 000005
【図４】
2010283778.tif 000006
【図５】
2010283778.tif 000007
【図６】
2010283778.tif 000008